(57)【要約】【課題】炭酸ガスが噴出される第２ノズルの先端開口を液体が流出される第１ノズルの先端開口に対して位置ずれが生じることなく対応配置することができて、噴霧を良好に行うことができる噴霧器及び噴霧装置を提供する。【解決手段】液体供給源に接続された供給管２７を容器２５に支持する。供給管２７の先端側には、端部の先端開口２９１から液体を流出可能な第１ノズル２９を設ける。容器２５には、第２ノズル３５を有する噴気ユニット２６を装着する。第２ノズル３５の端部の先端開口３５１からの気体の噴出に伴って、第１ノズル２９の先端開口２９１からの液体を噴霧させるように構成する。噴気ユニット２６のハウジング３２には二股部３４を形成して、その二股部３４を供給管２７に着脱可能に係合させる。【選択図】図４
2014039916.tif 000002
【特許請求の範囲】
【請求項１】
液体供給源に接続された供給管をフレームに支持し、その供給管の先端側には端部の先端開口から液体を流出可能な第１ノズルを設け、前記フレームには第２ノズルを有する噴気ユニットを装着し、第２ノズルの端部の先端開口からの気体の噴出に伴って、第１ノズルの先端開口からの液体を噴霧させるようにした噴霧器において、
前記噴気ユニットのハウジングには二股部を形成し、その二股部を前記供給管に着脱可能に係合させたことを特徴とする噴霧器。
【請求項２】
前記フレームに一対のレールを形成し、前記ハウジングにはそのレールに案内される被案内部を形成し、被案内部がレールに案内されることにより、ハウジングがフレームに対して着脱されることを特徴とする請求項１に記載の噴霧器。
【請求項３】
前記被案内部は前記レール間に圧入されるように構成されていることを特徴とする請求項２に記載の噴霧器。
【請求項４】
前記レールと被案内部との間には、フレームに対するハウジングの装着状態において、そのハウジングを位置決めするための当接構成を設けたことを特徴とする請求項２または３に記載の噴霧器。
【請求項５】
前記フレームには第１ノズルの両側をガードするためのピラーを設け、そのピラーは前記噴気ユニット側の第２ノズルを保持することを特徴とする請求項１〜４のうちのいずれか一項に記載の噴霧器。
【請求項６】
ガスボンベを有する本体と、請求項１〜５のうちのいずれか一項に記載の噴霧器とを備え、前記本体には噴霧器を保持するための保持部を設け、噴霧使用時には、噴霧器が保持部から取り出された状態で、ガスボンベからのガスが第２ノズルの先端開口から噴出されることを特徴とする噴霧装置。
【発明の詳細な説明】
【技術分野】
【０００１】
この発明は、例えば化粧水や香料等の液体を炭酸ガス等の気体を用いて噴霧するようにした噴霧器及びその噴霧器を備えた噴霧装置に関するものである。
【背景技術】
【０００２】
従来、この種の噴霧器としては、例えば特許文献１に開示されるような構成が提案されている。この従来構成においては、液体を貯留した容器の頂壁に供給管が貫通支持され、その供給管の上端には第１ノズルが設けられている。容器の頂壁の上面には、ハウジングが装着され、このハウジングには、第２ノズルが支持されている。そして、第２ノズルが第１ノズルと対応する位置に近接配置され、第２ノズルからの気体の噴出に伴って第１ノズルからの液体が吸い上げられて噴霧されるようになっている。
【先行技術文献】
【特許文献】
【０００３】
【特許文献１】特許第３５７２５４６号公報
【発明の概要】
【発明が解決しようとする課題】
【０００４】
ところが、この従来構成においては、第２ノズルを支持するユニットのハウジングが容器の頂壁の上面に、レールよりなる案内構成を介して着脱可能に装着されている。具体的には、容器の頂壁の上面に一対のレールが平行に延びるように形成されるとともに、ハウジングの両側にはレールに案内される一対の被案内部が形成されている。そして、被案内部に対するレールの案内作用により、ハウジングが容器の頂壁に対して着脱されるようになっている。このようにレールを用いただけの構成においては、ハウジングが頂壁に装着された状態においてガタツキが発生し易い。よって、第２ノズルと第１ノズルとの間に位置ずれが生じて、第１ノズルと第２ノズルとが所定の位置関係を確保できなくなって、液体の噴霧を良好に行うことができない可能性があるという問題があった。
【０００５】
この発明は、このような従来の技術に存在する問題点に着目してなされたものである。その目的は、２つのノズルの先端開口を位置ずれが生じることなく対応配置することができて、液体の噴霧を良好に行うことができる噴霧器及び噴霧装置を提供することにある。
【課題を解決するための手段】
【０００６】
上記の目的を達成するために、噴霧器に係る発明では、液体供給源に接続された供給管をフレームに支持し、その供給管の先端側には端部の先端開口から液体を流出可能な第１ノズルを設け、前記フレームには第２ノズルを有する噴気ユニットを装着し、第２ノズルの端部の先端開口からの気体の噴出に伴って、第１ノズルの先端開口からの液体を噴霧させるようにした噴霧器において、前記噴気ユニットのハウジングには二股部を形成し、その二股部を前記供給管に着脱可能に係合させたことを特徴としている。
【０００７】
従って、この発明の噴霧器においては、噴気ユニットのハウジングがフレーム上に装着された状態で、ハウジングに形成された二股部がフレームに支持された供給管に対して着脱可能に係合される。このため、フレームに対するハウジングの装着状態で、ハウジングにおける第２ノズルの支持箇所付近にガタツキが生じるおそれを抑制することができる。よって、第２ノズルの先端開口を第１ノズルの先端開口に対して位置ずれが生じることなく対応配置することができて、第１ノズルの先端開口からの液体を良好に噴霧させることができる。
【発明の効果】
【０００８】
以上のように、この発明によれば、噴気ユニットのハウジングをフレーム上に装着した状態で、第２ノズルの先端開口を第１ノズルの先端開口に対して位置ずれが生じることなく対応配置することができて、液体の噴霧を良好に行うことができるという効果を発揮する。
【図面の簡単な説明】
【０００９】
【図１】第１実施形態の噴霧器を備えた噴霧装置を示す部分破断正面図。
【図２】図１の噴霧装置の平面図。
【図３】同噴霧装置における噴霧器を拡大して示す断面図。
【図４】図３の噴霧器の一部を拡大して示す部分断面図。
【図５】同噴霧器を示す斜視図。
【図６】図５の噴気ユニットの斜視図。
【図７】第１ノズルと二股部との関係を示す一部正面図。
【図８】同じく第１ノズルと二股部との関係及びレールと被案内部との関係を示す一部平面図。
【図９】ピラーを示す一部側面図。
【図１０】ガード部材の底面図。
【図１１】ガード部材の断面図。
【図１２】第２実施形態を示す図８対応の一部平面図。
【図１３】変更例を示す断面図。
【図１４】別の変更例を示す断面図。
【発明を実施するための形態】
【００１０】
以下に、この発明を具体化した噴霧器及び噴霧装置の実施形態を図面に従って説明する。
（第１実施形態）
図１及び図２に示すように、第１実施形態の噴霧装置２１は、本体２２と、その本体２２に着脱可能に装着される噴霧器２３とを備えている。
【００１１】
本体２２内には、気体としての炭酸ガスを圧縮状態で充填したガスボンベ２４が交換可能に装填されている。本体２２の外側下部には、噴霧器２３を保持するための上面が開口した円形の凹部よりなる保持部２２１が形成されている。
【００１２】
噴霧器２３は、化粧水等の液体を貯留した液体供給源及び後述する供給管２７を支持するためのフレームを構成する容器２５と、その容器２５上に着脱可能に装着された噴気ユニット２６とを備えている。そして、噴霧器２３の容器２５が本体２２の保持部２２１に対して収容されたり、保持部２２１から取り出されたりすることにより、噴霧器２３が本体２２に着脱される。
【００１３】
図３及び図４に示すように、前記噴霧器２３の容器２５は、上面を開口した有底円筒状の本体部２５１と、その本体部２５１の上面開口部に着脱可能に螺着され、容器２５の頂壁を構成する蓋部２５２とを備えている。容器２５の蓋部２５２には、上下方向の軸線を有する供給管２７が貫通支持されている。供給管２７の下端には、可撓性材よりなる吸い上げパイプ２８が容器２５の本体部２５１の内底部まで垂下するように接続されている。この場合、本体部２５１の内底部には球面凹状部２５３が形成され、容器２５内の液体が少なくなるとともに、容器２５が傾けられた状態においても、吸い上げパイプ２８の下端部が液面下に位置するようになっている。
【００１４】
図３及び図４に示すように、前記容器２５の蓋部２５２上において供給管２７の上端側には、その端部の先端開口２９１から液体を流出可能な第１ノズル２９が一体に形成されている。この第１ノズル２９は、先端開口２９１の部分から下方に向かって次第に太くなる形状に形成されている。
【００１５】
図５及び図９に示すように、容器２５の蓋部２５２の上面には、ピラー３０が突設されている。このピラー３０は、第１ノズル２９を前後両側からガードするための一対のガード部３０１と、そのガード部３０１の上端部間に架設形成された円弧凹状の保持部３０２とを備えている。そして、容器２５の蓋部２５２上に噴気ユニット２６が装着された状態で、このピラー３０の保持部３０２により、噴気ユニット２６側に設けられた後述する第２ノズル３５を保持するようになっている。
【００１６】
図８に示すように、前記容器２５の蓋部２５２の上面には、一対のレール３１が図８の左右方向に延びるように形成されている。このレール３１は、供給管２７に向かって間隔を狭めるように傾斜状態に形成されている。
【００１７】
図１及び図２に示すように、前記噴気ユニット２６は、ハンドルとして使用可能な細長棒状のハウジング３２を備えている。図４に示すように、ハウジング３２の基端下部には、取付脚部３２１が突設されている。図６〜図８に示すように、取付脚部３２１の下端両側には、前記レール３１に案内される一対の突条形状の被案内部３３が同レール３１と対応するように傾斜状態で形成されている。この傾斜角度は、レール３１の傾斜角度と等しい。そして、この被案内部３３がレール３１間に圧入されてレール３１に案内されることにより、ハウジング３２が容器２５の蓋部２５２に対して前記供給管２７及び第１ノズル２９の軸線と直交する方向へ着脱される。
【００１８】
図４，図６及び図７に示すように、前記噴気ユニット２６のハウジング３２の先端部には、二股部３４が突出形成されている。この二股部３４は自身の弾性に抗して拡開される。そして、ハウジング３２が容器２５の蓋部２５２上に装着された状態で、この二股部３４が前記供給管２７の外周に同供給管２７を挟み付けた状態で着脱可能に係合されて、噴気ユニット２６の取付脚部３２１の先端側が位置決めされるとともに、ガタ付きが防止される。
【００１９】
図８に示すように、前記両レール３１の内側面の後端部には、一対の平行部３１２とその平行部３１２の後部側に続く係合凹部３１１とが形成されている。両被案内部３３の外側面には、前記両平行部３１２間の間隔とほぼ同じ間隔の平行部３３２が形成されている。そして、二股部３４が供給管２７に係合された状態、すなわち噴気ユニット２６のハウジング３２が蓋部２５２上に装着された状態では被案内部３３の平行部３３２がレール３１の平行部３１２に圧入状態で係合される。両被案内部３３には平行部３３２の後部側に位置する係合凸部３３１が形成され、この係合凸部３３１はハウジング３２が蓋部２５２に装着された状態でレール３１の係合凹部３１１の内奥面に当接される。そして、容器２５の蓋部２５２上へのハウジング３２の装着状態において、平行部３３２が平行部３１２に係合されて容器の２５の蓋部２５２に対する噴気ユニット２６の取付脚部３２１の後部側のハウジング３２のガタ付きが防止されるとともに、係合凹部３１１と係合凸部３３１との当接により位置決めされる。従って、係合凹部３１１と係合凸部３３１とは位置決めのための当接構成となっている。
【００２０】
図４に示すように、前記噴気ユニット２６のハウジング３２の先端部には、第２ノズル３５の基端部が埋設され、その先端部がハウジング３２の長さ方向の前端に向かって延びている。第２ノズル３５の先端部には、気体を噴出するための先端開口３５１が設けられている。この第２ノズル３５の先端部の外周は、先端開口３５１に向かって次第に細くなる形状に形成されている。そして、噴気ユニット２６のハウジング３２が容器２５の蓋部２５２上に装着された状態で、この第２ノズル３５の先端開口３５１が蓋部２５２上の第１ノズル２９の先端開口２９１の中心軸線に対して直交する軸線上で同第１ノズル２９の先端開口２９１に近接配置される。
【００２１】
図１及び図４に示すように、前記噴気ユニット２６のハウジング３２の中間部には、円筒状のバルブケース３６が第２ノズル３５の軸線と直交する上下方向に延びるとともに、その第２ノズル３５の内端部に連通するように貫設されている。バルブケース３６の下端部には、ホースジョイント３７が螺着されている。このホースジョイント３７と対応するように、前記本体２２の外周面にはホースジョイント３８が突設されている。両ホースジョイント３７，３８間には、可撓性のホース３９が接続されている。バルブケース３６内にはバルブ４０が上下動可能に嵌挿され、そのバルブ４０の上端には押しボタン４１が取り付けられている。バルブ４０の下端とホースジョイント３７との間には、バルブ４０を上方位置に向かって付勢するためのバネ４２が介装されている。
【００２２】
そして、通常時には、図３及び図４に示すように、バネ４２の付勢力によりバルブ４０が上方位置に移動配置されて、バルブケース３６とバルブ４０との間のガス通路が閉鎖されている。これに対して、押しボタン４１の押下げ操作により、バルブ４０がバネ４２の付勢力に抗して下方位置に移動されたときには、バルブケース３６とバルブ４０との間のガス通路が開放される。これにより、前記本体２２内のガスボンベ２４に充填された炭酸ガスが、ホース３９及びバルブケース３６を介して第２ノズル３５に供給され、その第２ノズル３５の先端開口３５１から噴出される。そして、この先端開口３５１からの炭酸ガスの噴出に伴う負圧によって、前記容器２５内の液体が第１ノズル２９の先端開口２９１に吸い上げられ、炭酸ガスの噴流に乗って噴霧される。
【００２３】
図３及び図６に示すように、前記第２ノズル３５の先端部の外周には、先細円筒状をなす合成樹脂製のガード部材４３が被覆装着されている。この場合、ガード部材４３は大径側の基端部において第２ノズル３５の外周面に対し無理嵌めにより接合固定されている。この基端部を除くガード部材４３の内周面と第２ノズル３５の外周面との間には隙間４４が形成されている。そして、第２ノズル３５の端部の先端開口３５１がガード部材４３の内側に没入して配置される。
【００２４】
図６，図１０及び図１１に示すように、前記ガード部材４３の周壁には、大気側開口としての複数の長孔状の透孔４５が均等間隔でガード部材４３の軸線方向に沿って延びるように形成されている。そして、これらの透孔４５は前記隙間４４に連通され、これらの透孔４５と隙間４４とにより、ガード部材４３の外周面から第２ノズル３５の先端開口３５１の前方に向かって延びる筒状のエア流路４６が構成されている。
【００２５】
図６及び図１０に示すように、ガード部材４３の先端部において１つの透孔４５と対応する位置には、軸線方向に延びる凹溝４７が形成されている。そして、図４に示すように、噴気ユニット２６が容器２５の蓋部２５２上に装着されて、第２ノズル３５の先端開口３５１が第１ノズル２９の先端開口２９１に近接配置されたとき、第１ノズル２９の先端部がガード部材４３の凹溝４７内に配置される。これにより、ガード部材４３の先端部と第１ノズル２９の先端部との間の干渉が回避される。
【００２６】
次に、前記のように構成された噴霧装置の作用を説明する。
この噴霧装置２１において噴霧器２３の不使用時には、図１及び図２に示すように、噴霧器２３の容器２５が本体２２の保持部２２１内に収容保持されている。このため、噴霧装置２１全体がコンパクトにまとまって、噴霧装置２１を嵩張ることなく保管することができる。
【００２７】
噴霧器２３を使用する場合には、噴霧器２３の噴気ユニット２６のハンドル兼用のハウジング３２を持って、図３に示すように、噴霧器２３の容器２５を本体２２の保持部２２１から取り出す。そして、噴霧器２３の第２ノズル３５の先端開口３５１を肌や髪等の噴霧対象部位に対向させた状態で、ハウジング３２上の押しボタン４１を押下げ操作すると、バルブケース３６とバルブ４０との間のガス通路が開放される。これにより、前記本体２２内のガスボンベ２４の炭酸ガスが、ホース３９等を介して第２ノズル３５に供給されて、その第２ノズル３５の先端開口３５１から噴出される。そして、この炭酸ガスの噴出に伴い、容器２５内の化粧水等の液体が第１ノズル２９の先端開口２９１に吸い上げられて、その先端開口２９１から噴霧対象部位に向かって噴霧される。このため、化粧水を使用して化粧を行なうことができる。なお、化粧水の細霧は炭酸ガス流に乗って噴出されるが、炭酸ガスは肌に当たると血行を促進するとされている。
【００２８】
ところで、第２ノズル３５の先端部の外周にはガード部材４３が被覆装着されるとともに、そのガード部材４３の外周面と第２ノズル３５の先端部との間には、先端開口３５１の前方に向かって開口するエア流路４６が形成されている。このため、第２ノズル３５の先端開口３５１からの炭酸ガスの噴出に伴って、エジェクタ効果により、エア流路４６を通して先端開口３５１の前方に向かうとともに、炭酸ガス流を包囲するエア流が生起される。そして、このエア流により、第１ノズル２９の先端開口２９１からの液体の噴霧が拡散することなく整流されて遠くまで放出される。
【００２９】
また、この噴霧器２３の使用時には、先細形状の第１ノズル２９がピラー３０のガード部３０１により両側からガードされるとともに、先細形状の第２ノズル３５がガード部材４３により被覆保護されている。このため、噴霧器２３の使用中に、第１ノズル２９及び第２ノズル３５の先端部が周辺の物体との衝突等により圧潰したり折損したりするおそれはない。
【００３０】
さらに、噴霧器２３の使用に伴って、容器２５に貯留された液体が少なくなった場合には、容器２５に液体を補充する必要がある。この液体の補充時には、図５の状態において一方の手で容器２５を保持するとともに、他方の手で噴気ユニット２６のハウジング３２を把持して図３の右側方に引っ張る。すると、図６に示すように、レール３１と被案内部３３と圧入状態が解除されるとともに、ハウジング３２の先端部の二股部３４が自身の弾性に抗して開かれて供給管２７から外れる。従って、噴気ユニット２６のハウジング３２を図３の右方へさらに移動させることにより、噴気ユニット２６が容器２５の蓋部２５２上から取り外される。この状態で、容器２５の本体部２５１上から蓋部２５２を取り外すことにより、本体部２５１内に液体を補充することができる。
【００３１】
そして、液体の補充が完了した後には、前記の取り外し時と逆順に、容器２５の蓋部２５２を本体部２５１上に取り付けるとともに、噴気ユニット２６のハウジング３２を容器２５の蓋部２５２上に装着する。このハウジング３２の装着時には、間隔が狭まるように傾斜した被案内部３３がレール３１に係合して案内されるため、その案内作用によりハウジング３２を蓋部２５２上の所定位置に容易に取り付けることができる。
【００３２】
このとき、図５及び図６に示すように、ハウジング３２に形成された二股部３４が蓋部２５２に支持された供給管２７に当たって自身の弾性に抗して開かれ、次いで同供給管２７を挟み付ける。従って、二股部３４が供給管２７に係合される。それとともに、図８に示すように、被案内部３３の平行部３３２がレール３１の平行部３１２に圧入されるとともに、レール３１に設けられた係合凹部３１１に被案内部３３に設けられた係合凸部３３１が当接される。これにより、容器２５の蓋部２５２に対する噴気ユニット２６のハウジング３２の装着状態において、ハウジング３２が所定位置にガタ付きを生じることなく位置決め固定される。よって、噴霧器２３の使用時に、第２ノズル３５の先端開口３５１と第１ノズル２９の先端開口２９１との間に位置ずれが生じるおそれはない。
【００３３】
このように、ハウジング３２が蓋部２５２上の所定位置に取り付けられると、図３及び図４に示すように、第２ノズル３５の先端開口３５１が蓋部２５２上の第１ノズル２９の先端開口２９１に対して近接して配置され、押しボタン４１の押下げ操作による有効な噴霧が可能な状態になる。
【００３４】
従って、この実施形態によれば、以下のような効果を得ることができる。
（１）  この噴霧器においては、噴気ユニット２６のハウジング３２がフレームとしての容器２５上に装着された状態で、ハウジング３２に形成された二股部３４が容器２５に支持された供給管２７に対して着脱可能に係合される。よって、容器２５に対するハウジング３２の装着状態で、ハウジング３２における第２ノズル３５の支持箇所付近にガタツキが生じるおそれを抑制することができる。従って、第２ノズル３５の先端開口３５１を第１ノズル２９の先端開口２９１に対して位置ずれが生じることなく対応させることができて、第１ノズル２９の先端開口２９１から液体を良好に吸い上げて噴霧させることができる。
【００３５】
（２）  この噴霧器においては、レール３１の案内作用により、ハウジング３２を容器２５に対して容易に着脱することができる。
（３）  この噴霧器においては、前記レール３１が前記供給管２７に向かって間隔が狭まるように傾斜されている。このため、ハウジング３２を容器２５に対して所定位置に案内することができる。
【００３６】
（４）  この噴霧器においては、前記レール３１と被案内部３３との間に、容器２５に対するハウジング３２の装着状態で、そのハウジング３２を位置決めするための互いに当接可能な係合凹部３１１及び係合凸部３３１が設けられている。このため、ハウジング３２を容器２５に対する装着状態において、第２ノズル３５の先端開口３５１を第１ノズル２９の先端開口２９１と対応する位置に固定配置することができる。
【００３７】
（５）  この噴霧器においては、前記レール３１と被案内部３３との間に、容器２５に対するハウジング３２の装着状態で、係合される平行部３１２，３３２が設けられている。このため、ハウジング３２を容器２５に対する装着状態において、ガタツキが生じることなく位置決め保持することができる。
【００３８】
（６）  この噴霧器においては、前記容器２５に第１ノズル２９の両側をガードするためのピラー３０が設けられ、そのピラー３０が前記噴気ユニット２６側の第２ノズル３５を保持するように構成されている。このため、第１ノズル２９が先端開口２９１に向かって細くなるように形成されている場合でも、その先細形状の第１ノズル２９をピラー３０により両側からガードすることができて、第１ノズル２９の先端部の折損等を防止することができる。また、容器２５に対するハウジング３２の装着状態において、容器２５上のピラー３０の保持部３０２により第２ノズル３５が保持されるため、第２ノズル３５の先端開口３５１を第１ノズル２９の先端開口２９１と対応する位置に安定して配置することができる。
【００３９】
（７）  この噴霧器においては、前記第２ノズル３５の先端部の外周が先端開口３５１に向かって細くなる形状に形成されている。第２ノズル３５の先端部の外周には、ガード部材４３が前記先端開口３５１をガード部材４３の内側に位置させるように取り付けられている。
【００４０】
このため、先細形状の第２ノズル３５の先端部をガード部材４３により被覆保護することができて、折損等を防止することができる。
（８）  この噴霧器においては、第２ノズル３５の先端部とガード部材４３の外周面との間には、先端開口３５１の前方に向かって開口するエア流路４６が形成されている。よって、エジェクタ効果により炭酸ガスの噴出にともなって炭酸ガス流の周囲にエア流が生じ、そのエア流によって噴霧を整流して遠くまで放出させることができる。
【００４１】
（９）  この噴霧器においては、前記エア流路４６を形成するための透孔４５が複数箇所に均等間隔で形成されている。このため、先端開口２９１全体からほぼ均等なエア流を生起させることができて、その液体の噴霧を一層効果的に整流して遠くまで放出させることができる。
【００４２】
（１０）  この噴霧器においては、第１ノズル２９が下部側ほど太くなる形状に形成されている。従って、第１ノズル２９が外力によって曲がるようなことを適切に防止することができる。
【００４３】
（１１）  この噴霧装置においては、ガスボンベ２４を有する本体２２と、前記のような構成の噴霧器２３とが備えられている。前記本体２２には噴霧器２３の容器２５を保持するための保持部２２１が設けられている。そして、噴霧器２３の使用時には、容器２５が保持部２２１から取り出された状態で、ガスボンベ２４からの炭酸ガスが第２ノズル３５の先端開口３５１から噴出されるようになっている。
【００４４】
このため、噴霧器２３の不使用時には、本体２２の保持部２２１に噴霧器２３の容器２５を収容保持することにより、噴霧装置２１全体をコンパクトにまとめて保管することができる。これに対して、噴霧器２３の使用時には、本体２２の保持部２２１から噴霧器２３の容器２５を取り出すことにより、噴霧器２３のみを把持して噴霧作業を容易に行うことができる。
【００４５】
（第２実施形態）
次に、この発明の第２実施形態を図１２に基づいて前記第１実施形態と異なる部分を中心に説明する。
【００４６】
第２実施形態においては、前記容器２５の蓋部２５２の上面における一対のレール３１の奥側に平行部３１３が形成されている。また、レール３１に案内されるハウジング３２の取付脚部３２１の下端両側における一対の被案内部３３の先端側には前記平行部３１３と対応する平行部３３３が形成されている。
【００４７】
また、ハウジング３２の先端の二股部３４は前記第１実施形態より短く形成されている。
従って、第２実施形態においては、以下の効果がある。
【００４８】
（１２）  レール３１及び被案内部３３の先端側に平行部３１３，３３３がそれぞれ形成されているため、二股部３４が供給管２７の外周に嵌合される前に被案内部３３の平行部３３３がレール３１の平行部３１３に達することができる。このため、ハウジング３２が傾くことを防止できて、二股部３４の一方の先端が供給管２７に当たることを防止でき、二股部３４の折損等を未然に防ぐことができ、しかも、容器２５に対するハウジング３２の装着を円滑に行なうことができる。
【００４９】
（１３）  二股部３４を短くしたため、二股部３４の一方の先端が供給管２７に当たる可能性が低くなり、前記と同様に折損等を防止できる。
（変更例）
なお、この実施形態は、次のように変更して具体化することも可能である。
【００５０】
・  ピラー３０の構成を省略すること。
・  ガード部材４３の構成を省略すること。
・  レール３１及び被案内部３３の係合凹部３１１，係合凸部３３１や平行部３１２，３３２の構成を省略すること。
【００５１】
・  図１３に示すように、隙間４４に連なる透孔４５を第２ノズル３５の先端部に向かうように傾斜させること。このようにすれば、大気が隙間４４内にほとんど乱流を生じることなく円滑に導入される。従って、隙間４４の先端開口からは整流されたエジェクタ流が給出され、噴霧をさらに遠くまで放出できる。
【００５２】
・  図１４に示すように、隙間４４に連なる透孔４５を大気導入側（外側）ほど広くなる形状に形成すること。このようにすれば、図１３の構成と同様に大気が隙間４４内にほとんど乱流を生じることなく円滑に導入され、噴霧をさらに遠くまで放出できる。
【００５３】
（別の技術的思想）
さらに、上記実施形態により把握される技術的思想について、以下にそれらの効果とともに記載する。
【００５４】
（Ａ）  液体供給源に接続され、端部の先端開口から液体を流出可能な第１ノズルと、圧縮気体源に接続され、端部の先端開口から気体を噴出する第２ノズルとを備え、第１ノズルの先端開口と第２ノズルの先端開口とを近接配置して、第１ノズルからの気体の噴出に伴って第１ノズルからからの液体が吸い上げられて噴霧されるようにした噴霧器において、
前記第２ノズルの先端部の外周を先端開口に向かって細くなる形状に形成し、その第２ノズルの先端部の外周にはガード部材を取り付けて、前記先端開口をガード部材の内側に位置させ、第２ノズルの先端部とガード部材の外周面との間には第１ノズルの先端開口の前方に向かって開口するエア流路を形成したことを特徴とする噴霧器。
【００５５】
この構成によれば、先細形状の第２ノズルの先端部をガード部材により被覆保護することができる。よって、噴霧器の使用時に、先細形状の第２ノズルの先端部が周辺の物体との衝突等により折損したりするおそれを防止することができる。また、この噴霧器の使用時には、エジェクタ効果により、第２ノズルの先端部とガード部材の外周面との間に形成されたエア流路を通して、第２ノズルの先端開口の前方に向かいエア流を生起させることができる。よって、第１ノズルの先端開口からの液体の噴霧を整流して遠くまで効率よく放出させることができる。
【００５６】
（Ｂ）  前記エア流路の大気側開口を複数箇所に均等間隔で形成したことを特徴とする前記（Ａ）項に記載の噴霧器。
この構成によれば、複数箇所の大気側開口を通して、噴霧を包囲するようにエア流を生起させることができる。よって、その噴霧を一層効果的に整流して遠くまで放出させることができる。
【００５７】
（Ｃ）  前記第１ノズルを先端開口に向かって細くなる形状に形成したことを特徴とする前記（Ａ）項または（Ｂ）項に記載の噴霧器。
（Ｄ）  前記液体供給源を液体が貯留される容器によって構成するとともに、その容器の頂壁に前記第１ノズルを設け、その頂壁には第１ノズルをその両側からガードするピラーを設けたことを特徴とする前記（Ａ）〜（Ｃ）項のうちのいずれか一項に記載の噴霧器。
【００５８】
この構成によれば、噴霧器の使用時に前記第２ノズルとともに、先細形状の第１ノズルの先端部が周辺の物体との衝突等により圧損したり折損したりするおそれを防止することができる。
【符号の説明】
【００５９】
２１…噴霧装置、２２…本体、２２１…保持部、２３…噴霧器、２４…ガスボンベ、２５…液体供給源及びフレームを構成する容器、２６…噴気ユニット、２７…供給管、２９…第１ノズル、２９１…先端開口、３０…ピラー、３０１…ガード部、３０２…保持部、３１…レール、３１１…係合凸部、３２…ハウジング、３３…被案内部、３３１…係合凹部、３４…二股部、３５…第２ノズル、３５１…先端開口、３６…バルブケース、３９…ホース、４０…バルブ、４１…押しボタン、４３…ガード部材、４４…隙間、４５…透孔、４６…エア流路。
【図１】
2014039916.tif 000003
【図２】
2014039916.tif 000004
【図３】
2014039916.tif 000005
【図４】
2014039916.tif 000006
【図５】
2014039916.tif 000007
【図６】
2014039916.tif 000008
【図７】
2014039916.tif 000009
【図８】
2014039916.tif 000010
【図９】
2014039916.tif 000011
【図１０】
2014039916.tif 000012
【図１１】
2014039916.tif 000013
【図１２】
2014039916.tif 000014
【図１３】
2014039916.tif 000015
【図１４】
2014039916.tif 000016